(57)【要約】【課題】デジタル写真を貼付する台紙を増設可能なデジタル写真用アルバムの提供を課題とし、特にプリンター等で薄手の紙葉に印刷したデジタル写真を体裁よく貼付でき、かつ該アルバムを開いた全体にデジタル写真を貼付できると共に該写真の皺や折り目を入れず、綺麗に視認できるデジタル写真用アルバムの提供を課題とする。【解決手段】折り目を挟んで二つの台紙部を重ね合わせ可能な台紙の重ね合わせ面にデジタル写真を貼付でき、一の台紙の台紙部の外面と他の台紙の台紙部の外面とを接着することにより台紙の数を任意に増設できるデジタル写真用アルバムであり、該台紙は、台紙部と台紙部との折り目に切り欠き部と連接部とを交互に有して台紙を連設した際に各々の台紙の切り欠き部と連接部とが組み合う位置に各々の台紙に切り欠き部と連接部を有するデジタル写真用アルバムによって達成できる。【選択図】　　図２
2004098433.tif 000002
【特許請求の範囲】
【請求項１】
折り目１１を挟んで二つの台紙部　１２、１３を重ね合わせ可能に有する台紙　１の重ね合わせ面　１２ｂ、１３ａにデジタル写真を貼付可能であると共に、一の台紙　１の台紙部１３の外面　１３ｂと他の台紙１´の台紙部　１２´の外面１２ａ´とを接着することにより台紙　１の数を任意に増設可能なデジタル写真用アルバムであって、
該台紙　１は、台紙部１２と台紙部１３との折り目１１に切り欠き部１４と連接部１５とを交互に有し、
台紙　１を連設した際に各々の台紙　１の切り欠き部１４と連接部１５とが組み合う位置に各々の台紙に切り欠き部１４と連接部１５を有することを特徴とするデジタル写真用アルバム。
【請求項２】
台紙部１２と台紙部１３との折り目１１の切り欠き部１４が連接部１５より大きいことを特徴とする請求項１記載のデジタル写真用アルバム。
【請求項３】
二つの台紙部　１２、１３の重ね合わせ方向の連接部１５表面に突出部１６を有することを特徴とする請求項１又は２のいずれかに記載のデジタル写真用アルバム。
【請求項４】
台紙部　１２、１３と連接部１５との連接部分に切り込み１７を有することを特徴とする請求項１乃至３のいずれかに記載のデジタル写真用アルバム。
【請求項５】
台紙　１の折り目１１を挟んだそれぞれの端部に該台紙部　１２、１３の外周縁部に合致する中空形状の周縁押え部　１８、１８を有すると共にこの周縁押え部　１８、１８を該台紙部　１２、１３の重ね合わせ方向に折り返し可能とし、
該周縁押え部　１８、１８を台紙部　１２、１３の外周縁部に重ね合わせることにより、台紙部　１２、１３に貼付したデジタル写真の表面の周縁を覆えることを特徴とする請求項１乃至４のいずれかに記載のデジタル写真用アルバム。
【請求項６】
台紙部　１２、１３の周縁に剥離紙で覆った接着部材を有することを特徴とする請求項１乃至５のいずれかに記載のデジタル写真用アルバム。
【請求項７】
それぞれの周縁押え部　１８、１８の裏面であって、該周縁押え部　１８、１８を折り返すことにより台紙部　１２、１３に接する台紙　１の重ね合わせ面　１２ｂ、１３ａに、剥離紙で覆った接着部材を有することを特徴とする請求項５又は６のいずれかに記載のデジタル写真用アルバム。
【請求項８】
周縁押え部　１８、１８に、該周縁押え部　１８、１８を構成する一又は二以上の辺部を切り離し可能なスリット　１８１を有することを特徴とする請求項５乃至７のいずれかに記載のデジタル写真用アルバム。
【請求項９】
台紙部　１２、１３が略Ａ５サイズであり、台紙　１が略Ａ４サイズであることを特徴とする請求項１乃至８のいずれかに記載のデジタル写真用アルバム。
【請求項１０】
厚手の台紙　１を用いたことを特徴とする請求項１乃至９のいずれかに記載のデジタル写真用アルバム。
【請求項１１】
請求項１乃至１０のいずれかに記載のデジタル写真用アルバムと、
このデジタル写真用アルバムの一の台紙部　１２、１３を収納可能な収納部　２１、３１を有する表紙部　２及び裏表紙部　３と、
該収納部　２１、３１にその両端部を収納可能な背表紙部　４とからなることを特徴とするデジタル写真用アルバム。
【請求項１２】
二以上の台紙　１を接着連設し、
連設した台紙　１の一端部に位置する台紙部１２を表紙部　２の収納部２１に挿入すると共に背表紙部　４の一の端部を収納部２１に挿入し、
台紙１´の他端部に位置する台紙部　１３´を裏表紙部　３の収納部３１に挿入すると共に背表紙部　４の他の端部を収納部３１に挿入し、
連設した台紙１、１´を表紙部　２と裏表紙部　３と背表紙部　４で覆うことが可能である請求項１１記載のデジタル写真用アルバム。
【請求項１３】
背表紙部　４の一の端部又は他の端部のいずれかを一の収納部内で接着し、
デジタル写真用アルバムを開いた際に、表出している背表紙部　４が接着していない他の収納部に収納可能としたことを特徴とする請求項１２記載のデジタル写真用アルバム。
【発明の詳細な説明】
【０００１】
【発明の属する技術分野】
本発明はデジタル写真用のアルバムに関し、より具体的にはデジタル写真を貼付すべき台紙であって折り目を挟んで二つの台紙部を重ね合わせ可能に有する台紙の折り目部分の上下方向に任意の間隔を明けて切れ込みをいれると共に、一の台紙と他の台紙を接着連設可能とすることにより、デジタル写真を貼付すべき台紙を任意に増設可能なデジタル写真用のアルバムに関する。
【０００２】
【従来の技術】
従来より、感光フィルムを現像したいわゆるアナログ写真に関してのアルバムは種々用いられており、例えば袋状透明フイルムを有し、該袋状透明フイルム内にアナログ写真を収納するアルバムや、台紙自体に接着部材で貼付するものなどが多用されている。
また、台紙上一面に接着部材を有し、この表面にアナログ写真を貼付すると共に透明フィルムでこの台紙全体に重ね合わせて覆うアルバムがある。
【０００３】
【発明が解決しようとする課題】
しかし、これらのアナログ写真のアルバムは、アナログ写真の規定の大きさ、即ち手札判等に合致して設けられ、この大きさに適合して作られており、デジタルカメラで撮影した画像をコンピューター等により取り込んでプリンターで印刷した場合のデジタル写真とはその大きさが全く異なるものである。
特にデジタルカメラでのデジタル写真は、プリンター等で印刷する場合に例えばＡ４サイズやＡ５サイズにて印刷されるものが極めて多く、例えばアナログ写真用の袋状透明フイルムには収納できないものであった。
また、アナログ写真は感光フィルムを現像して印画紙に焼き付けるものであり、写真自体に厚みを有し、袋状透明フイルムや台紙自体に貼付しても綺麗に貼付でき、写真の縮みや歪み、または折れなどがないばかりでなく、厚みを有するゆえ見栄えよく収納又は貼付できるものである。
【０００４】
これに対してデジタル写真は薄手の紙に印刷されるものであり、例えばデジタル写真を接着部材などで全面的に台紙などに張り付けると、紙自体が縮みや歪みを起し、アルバムに綺麗に貼付することはできないものであった。
また、デジタル写真は薄手ゆえ単にアナログ写真用のアルバムの台紙に張り付けても、極めて平面的でかつ質感のない写真に写るものとなってしまう。
特に、デジタルカメラの画素数が向上すると共にプリンターの印刷技術の向上により、アナログ写真と同等又はそれ以上の綺麗なデジタル写真を印刷できるが、アルバムとの関係で極めて貧相な印象を生じさせてしまうものである。
この他、仮に一の折り込みのある台紙全体にプリントアウトしたデジタル写真を貼付した場合に、台紙の折り込みに伴ってこの折り目の部分にてデジタル写真が折れ曲り、写真に傷を付けてしまい、この台紙を開いてもこの折り目の部分は折れたままとなり見栄えが極めてよくないものである。
従って、係る点に鑑みデジタル写真に最も適合したデジタル写真用アルバムの提供が望まれていた。
【０００５】
【課題を解決するための手段】
本発明は上記課題を解決して目的を達成するために発明したものであり、請求項１に係る発明は、折り目を挟んで二つの台紙部を重ね合わせ可能に有する台紙の重ね合わせ面にデジタル写真を貼付可能であると共に、一の台紙の台紙部外面と他の台紙の台紙部外面とを接着することにより台紙の数を任意に増設可能なデジタル写真用アルバムであって、該台紙は、台紙部と台紙部との折り目に切り欠き部と連接部とを交互に有し、台紙を連設した際に各々の台紙の切り欠き部と連接部とが組み合う位置に切り欠き部と連接部を有するデジタル写真用アルバムからなり、係る発明によって課題を解決できる。
或いは、請求項２に係る発明の様に台紙部と台紙部との折り目の切り欠き部が連接部より大きいデジタル写真用アルバムであってもよい。
更に請求項３に係る発明の様に二つの台紙部の重ね合わせ方向の連接部に突出部を有するデジタル写真用アルバムであってよい。
これらの場合請求項４に係る発明の様に台紙部と連接部との連接部分に切り込みを有するデジタル写真用アルバムでも、この台紙部を閉じた場合に切り込みにより折り目の部分に間隔を有することができ、貼付したデジタル写真に折り目を付けることを防止できる。
【０００６】
また請求項５に係る発明の様に台紙の折り目を挟んだそれぞれの端部に該台紙部の外周縁部に合致する中空形状の周縁押え部を有すると共にこの周縁押え部を該台紙部の重ね合わせ方向に折り返し可能とし、該周縁押え部を台紙部の外周縁部に重ね合わせることにより台紙部に貼付したデジタル写真の表面の周縁を覆えるデジタル写真用アルバムによって、貼付したデジタル写真の縁辺部分を周縁押え部にて覆うことができる。
或いは請求項６に係る発明の様に台紙部の周縁に剥離紙で覆った接着部材を有するデジタル写真用アルバムを用いると、接着部材により簡単に接着できる。
又、請求項７に係る発明の様にそれぞれの周縁押え部の裏面の台紙部に接する面に剥離紙で覆った接着部材を有するデジタル写真用アルバムでも同様である。
【０００７】
更には、請求項８に係る発明の様に周縁押え部に該周縁押え部を構成する一又は二以上の辺部を切り離し可能なスリットを有することにより、不要な辺部を切り取り必要な部分のみ残すことができる。
尚、請求項９に係る発明の様に台紙部が略Ａ５サイズであり、台紙が略Ａ４サイズであるデジタル写真用アルバムにより、プリンター等の印刷で最も用いられる大きさのデジタル写真を体裁よく貼付できる。
又、請求項１０に係る発明の様に厚手の台紙を用いることにより、薄手のデジタル写真でも同じく体裁よく貼付できかつ視認できる。
この他、請求項１１に係る発明の様に、これらのデジタル写真用アルバムと、このデジタル写真用アルバムの一の台紙部を収納可能な収納部を有する表紙部及び裏表紙部と、該収納部にその両端部を収納可能な背表紙部とからデジタル写真用アルバムにより、表紙・裏表紙・背表紙を簡単に装着できる。
【０００８】
或いは、請求項１２に係る発明の様に二以上の台紙を接着連設し、連設した台紙の一端部に位置する台紙部を表紙部の収納部に挿入すると共に背表紙部の一の端部を収納部に挿入し、台紙の他端部に位置する台紙部を裏表紙部の収納部に挿入すると共に背表紙部の他の端部を収納部に挿入し、連設した台紙を表紙部と裏表紙部と背表紙部で覆うことが可能とすることにより台紙を増設した場合にも簡単に表紙・裏表紙・背表紙を取り外せ又装着できる。
更に、請求項１３に係る発明の様に背表紙部の一の端部又は他の端部のいずれかを収納部内で接着し、デジタル写真用アルバムを開いた際に収納部に収納していない表出している背表紙部が接着していない収納部に収納可能としたことにより、このアルバムを開閉した場合に接着していない背表紙部の端部が収納部内の奥から開口部方向又はその逆に移動可能となり、アルバムの開閉時に背表紙部の表出部分が収納部内に挿入及び挿出可能となり、アルバムの開閉を容易にできる。
【０００９】
【発明の実施の形態】
本発明にかかるデジタル写真用アルバムの台紙の基本的な一実施の形態を図１に示す。
台紙　１は、折り目１１を挟んだそれぞれ台紙部　１２、１３より構成されており、この折り目１１によって台紙部同志　１２、１３を重ね合わせることができ、台紙　１の重ね合わせ面　１２ｂ、１３ａがそれぞれ接するように閉じることができる。
この折り目１１は切り欠き部１４と連接部１５とを交互に有する構成からなり、この連接部１５の折り目１１の部分にて折り曲げることにより台紙部同志　１２、１３を重ね合わせることができる。
この台紙部　１２、１３にはそれぞれデジタル写真　５を貼付できると共に、台紙　１全体に一のデジタル写真　５を貼付することもできる。
台紙部同志　１２、１３を重ね合わせることにより本発明に係るデジタル写真用アルバムを閉じることができることから台紙　１全体の大きさのデジタル写真　５を小さい状態で収納、保存などができる。
【００１０】
この場合折り目１１は切り欠き部１４と連接部１５とを有することにより、この連接部１５のたるみにより、台紙部１２と台紙部１３との間の間隔を若干短くした状態でデジタル写真　５を台紙部１２から台紙部１３に掛けて即ち台紙　１全体に貼付できることとなる。
これにより台紙　１を開いた際には貼付したデジタル写真　５を張った状態で開く事ができ、薄手のデジタル写真　５であっても皺を入れずに見ることができる。
更に台紙　１を閉じた際には連接部１５が曲折して重ね合わされるが、台紙部１２と台紙部１３は弛まず平面状を維持できると共に連接部１５の折れ目１１の部分もきっちりと重なり合うのではなく若干の隙間を有する状態で台紙部　１２、１３を畳むことができる。
従って、デジタル写真が折れずに台紙部　１２、１３を畳めることとなる。
【００１１】
特にアナログ写真に関しては折り曲げると印画部分が切れてしまい、写真として用をなさなくなってしまうことから折り曲げることはできないと共に、例えば屈曲させた場合でも、その状態を維持してしまい、写真自体に歪み等を生じさせてしまうものであって平板状で維持保存しなければならなかったが、これに対して本発明にかかるアルバムを用いるとデジタル写真を薄手の紙に印刷したものであっても、折り目を折り曲げずに保存できると共にアルバムの台紙　１を開いた際には張った状態でデジタル写真を見ることができる。
特に連接部１５に突出部１６を有することにより、台紙部　１２、１３同志を折り畳んだ際に連接部１５の折り目１１部分が重なり合わずに一定の間隔を有することとなり、デジタル写真　５に折り目が付いてしまうのを確実に防止できる。
更に台紙部　１２、１３と連接部１５との連接部分に切り込み１７を有することにより、台紙部同志　１２、１３を折り畳んだ際にこの切り込み１７から折り曲げられ、連接部分が略弧状にて台紙部　１２、１３の重ね合わせを可能とし、折り目１１部分の間隔を一定程度広く維持できる。
また、厚手の台紙　１を用いた場合には、更にアルバムとして重厚さを表出できると共に、薄手のアナログ写真も体裁よく貼付可能である。
【００１２】
更に、台紙部　１２、１３を略Ａ５の大きさとし、台紙　１を全体としてＡ４の大きさとして構成することにより、現在多用されているＡ４の大きさの用紙に印刷したデジタル写真を有効に貼付できる。
もちろん台紙部　１２、１３を略Ａ４の大きさとし、台紙　１を全体としてＡ３の大きさとして構成しても、或いは台紙部　１２、１３を略Ｂ５の大きさとし、台紙　１を全体としてＢ４の大きさとして構成してもよく、更には台紙部　１２、１３を略はがきの大きさとし、台紙　１全体としてこの略２倍程度の大きさからなるものであってもよい。
更には、この通常用いられる大きさ以外の任意に大きさとしてももちろんよい。これらは使用目的や需要に応じて適宜定めればよいものである。
次に、この様な台紙部　１２、１３の周縁部分には接着部材が貼付されているものであってもよく、台紙部　１２、１３又は台紙　１に写真　５を貼付した場合には写真　５の裏面周縁部で接着できる。
【００１３】
尚、周縁部分の接着部材には剥離紙を貼付しておくことにより、必要に応じてこの剥離紙を剥がして用いることができる。
図２は、この様な台紙　１を複数連設した状態を示す図である。
台紙　１は、台紙部１２と台紙部１３との折り目１１に切り欠き部１４と連接部１５とを交互に有しており、一の台紙　１と他の台紙１´を連設する場合には両者の接する台紙部１３ｂ、１２ａ´の表面を接着することにより、台紙　１の連設を可能とする。
この場合、一の台紙　１の切り欠き部１４と連接部１５からなる折り目１１部分とこれに連設する他の台紙１´の連接部　１５´と切り欠き部　１４´とが各々交差するように配設する。
即ち一の台紙　１の切り欠き部１４には他の台紙１´の連接部　１５´が位置し、一の台紙　１の連接部１５には他の台紙１´の切り欠き部　１４´が位置することとなる。
従って、二つ以上の台紙１、１´を連設した場合、一の台紙　１を開いた状態にしても当該開いた台紙　１の切り欠き部１４からは他の台紙の連接部　１５´が位置し、その開披を容易にすると共に、台紙　１を開いた際にこの切り欠き部１４から他の台紙１´の連接部　１５´が若干突出し、開いた台紙　１に貼付したデジタル写真　５の中心部分を下から押さえることができる。
【００１４】
従って、台紙　１に写真　５を貼付する場合に台紙　１の折り目１１部分に奥まで写真５を貼付せずに折り目１１部分に若干の隙間を有して貼付した場合に切り欠き部１４と連接部１５を有する事から台紙　１を閉じた場合にも連接部１５にかかる力が分散し、折り目１１に若干の隙間を有して閉じることができ、更にこの台紙　１を開いた場合にもこの切り欠き部１４と連接部１５により写真　５の中央部分にかかる力を分散し、連接部１５が若干曲折した状態で台紙　１が開ける。
これにより、この連接部１５の曲折による弾力により写真　５を張った状態で表出することができる。
更に、前記他の台紙１´の連接部　１５´の突出に伴い、写真　５の中央部分を下から支えることを可能とする。
もとより、一の台紙　１の切り欠き部１４に他の台紙１´の連接部　１５´が位置することから台紙１、１´の開閉に際して他の台紙１、１´が邪魔になることはない。
尚、切り欠き部１４と連接部１５の大きさは、切り欠き部１４に連接部１５が嵌入する程度の大きさであればよく、両者が同一の大きさであるばかりでなく、切り欠き部１４が連接部１５よりも大きいものであってもよい。
【００１５】
図３は、２つの台紙１、１´を連設し、それぞれ閉じた状態を示す図であり、図４は複数の台紙１、１´を連設し、一の台紙　１を開披した状態を示す図であり、当該開披した台紙　１の連接部１５の弾力により写真　５を張った状態にすることができると共に、当該開披した台紙　１の切り欠き部１４にはこの台紙　１に連設する他の台紙１´の連接部　１５´が位置して下から写真　５を支えることを可能としている。
図５は、台紙　１の折り目１１を挟んだそれぞれの端部には、中空形状の周縁押え部１８を有している状態を示す図である。
この周縁押え部１８は台紙　１の端部に連設されており、この連設部分で折り曲げてそれぞれの台紙部　１２、１３に重ね合せることができる。
この周縁押え部１８は、略四角形状からなり、その中央部分は抜かれており中空形状よりなっている。
従って、この周縁押え部１８を台紙部　１２、１３に重ね合せた場合には、その中央部分は台紙部　１２、１３が表出することから、台紙部　１２、１３にデジタル写真　５を貼付した場合に、写真を十分に視認できる。
【００１６】
この場合、周縁押え部１８の裏面であって、デジタル写真　５の表面の周縁に接する面に接着部材を有しており、周縁押え部１８をデジタル写真　５を貼付した台紙部１２、１３に重ね合せた場合、デジタル写真　５の表面の周縁と接着し、デジタル写真５を定置させると共に周縁押え部１８をこの位置に定置させることができる。
これにより、デジタル写真　５の表面を四方から保護できる事となると共に台紙部　１２、１３を重ね合せて、更に台紙　１を閉じた状態にした場合に、この台紙部　１２、１３間に両周縁押え部１８の幅程度の隙間を有し、折り目１１の部分に空隙を生じさせ、この折り目１１部分にもデジタル写真がある場合にデジタル写真の折れ曲がりを防止できる。
例えば厚手の周縁押え部１８を用いることにより、更に広い空間を生じさせ、折り曲げることのできるデジタル写真といえども不要な折り曲げや屈曲を防止できると共に、写真に重厚感を生じさせることができる。
尚、周縁押え部１８の台紙　１の折り目１１部分方向にはスリット　１８１を有しており、周縁押え部１８を構成する辺部を切り離すことができる。
【００１７】
例えば台紙　１の折り目１１部分にも亘るデジタル写真　５を台紙　１に貼付した場合に、この折り目１１部分はデジタル写真のほぼ中央部に位置するものであり、周縁押え部１８の辺部がこの部分に掛かってしまうことにより、写真　５の視認を阻害するものであることから、この部分に位置する辺部を切り離し、写真の視認性をより向上させることができる。
尚、デジタル写真　５自体はその周縁部分は全て残りの周縁押え部１８によって押えられており、体裁よくかつきっちりと台紙　１に貼付できるものである。
図６は、それぞれの台紙部　１２、１３にデジタル写真　５を貼付し、周縁押え部１８によって該デジタル写真　５を押さえている状態を示す図である。
図示するように極めて体裁よく台紙　１に貼付でき薄手のデジタル写真　５といえども重厚に視認できる。
図７は、台紙　１全面に亘る一のデジタル写真　５を貼付し、周縁押え部１８の一辺部をそれぞれ取り除いた上でデジタル写真　５を押さえている状態を示す図である。
従って、デジタル写真　５の大きさに応じて適宜貼付できるものである。
【００１８】
以上のように本発明に係るデジタル写真用アルバムは、一の台紙　１に１又は２枚或いは任意に複数枚のデジタル写真を貼付することとしているが、アルバムとして多くの写真を一体して保存等する場合において、一の台紙　１からなるデジタル写真用アルバムの台紙部１３の裏表紙面の外表面　１３ｂと他の台紙１´からなる一のデジタル写真用アルバムの表紙面　１２´の外表面１２ａ´とを接着することにより、二つの台紙からなるデジタル写真用アルバムを連設でき、更にこれを順次繰り返し、必要に応じて複数乃至多数の台紙を連接したデジタル写真用アルバムを提供できる。
従って、必要に応じてデジタル写真用アルバムの台紙を増やし又は減らすことができ、収納すべきデジタル写真の枚数等に適合することができる。
図８は、複数連設したデジタル写真用アルバムに表紙、裏表紙及び背表紙を配設した状態を示す図であり、デジタル写真用アルバムの一の台紙部１２を収納可能な収納部２１を有する表紙部　２と、同じく他の一の台紙部１３を収納可能な収納部３１を有する裏表紙部　３及び該収納部　２１、３１にその両端部を収納可能な背表紙部　４からなる。
【００１９】
即ち、複数連設したデジタル写真用アルバムの最も表紙面に位置する台紙部１２を表紙部　２の収納部２１に収納し、他方複数連設したデジタル写真用アルバムの最も裏表紙面に位置する台紙部　１３´を裏表紙部　３の収納部３１に収納すると共に、背表紙部　４の両端部をそれぞれ表紙部　２の収納部２１と裏表紙部　３の収納部３１に収納することにより複数連設したデジタル写真用アルバム自体の表紙及び裏表紙、背表紙となり、体裁のよいデザイン等を施すことができるばかりでなくデジタル写真用アルバムのハードカバーとして用いることができ、保存性等を高めることができる。
更に複数のデジタル写真用アルバムを連設した状態で、更にデジタル写真用アルバムとして台紙を追加する場合には、裏表紙部　３又は表紙部　２の収納部　３１、２１からデジタル写真用アルバムの裏表紙又は表紙面に位置するの台紙部１３´、１２を抜いて、更に必要な台紙を連接し、この連設した最も端に位置する台紙部　１３、１２を前記収納部　３１、２１に収納した上で、背表紙部　４を収納部　３１、２１に収納することにより、デジタル写真用アルバムの増設を可能とする。
【００２０】
図９は、表紙部　２を示す図であり、表紙部　２の本体の一面には収納部２１を有し、この収納部２１は台紙　１の台紙部１２を収納可能な大きさを有していると共に更には背表紙部　４の端部をも同時に収納可能な程度の幅を有する。
この場合に図示しないが裏表紙部　３も同様の形態をなすものである。
以上のように本デジタル写真用アルバムは台紙　１と共に、更に表紙部　２、裏表紙部　３、背表紙部　４を有することができ、例えば表紙部　２、裏表紙部　３を厚紙を基材として用いることにより、ハートカバーとして用いることができると共に更に装飾性を高めることができ、更に、台紙　１を増設する場合にも収納部　２１、３１への差し替えを行えばよく極めて便利である。
例えば背表紙部　４に関しても両収納部　２１、３１に収納する部分の長さが一定程度あれば、デジタル写真用アルバムとして台紙　１を増やした場合にも十分に対処できるものである。
【００２１】
尚、表紙部　２或いは裏表紙部　３のいずれか一方で該収納部　２１、３１に収納した背表紙部　４の一の端部を接着することにより、背表紙部　４の一の端部は表紙部　２或いは裏表紙部　３のいずれか一方で固定され、他の収納部　３１　２１内で背表紙部　４の他の端部を挿入及び挿出可能とし、アルバムを開披した場合には、この可動可能な背表紙部　４の他の端部が収納部　３１　２１内に入り込み、背表紙部　４の膨らみを防止でき、体裁よくアルバムを開披できる。
更に台紙　１を閉じた場合には、この収納部　３１、２１に入り込んだ背表紙部　４の他の端部の必要部分が収納部　３１、２１から挿出し、アルバムの背の部分を覆うこととなる。
【００２２】
【発明の効果】
１、本発明にかかるデジタル写真用アルバムによって、薄手の紙に印刷されるデジタル写真を縮みや歪みを生じさせずにアルバムに貼付できると共に、質感の高い重厚な印象を与えることができるという第一の効果を有する。
２、本発明にかかるデジタル写真用アルバムの台紙の折り目には切り欠き部及び連接部を有することからこの部分に亘って写真を貼付した上で、この台紙を閉じた場合にも、この折り目の部分は折り曲げられることなく弧状に曲折し、貼付した写真に折り目が付くことを防止できるという第二の効果を有する。
従って台紙を開いて写真を視認した場合には折り目のない写真を視認できることとなる。
【００２３】
更に台紙の連接部に突出部や切り込みを有することにより、台紙を閉じた場合に台紙の折り目の部分の空間を確実かつ有効に保持でき、写真に折り目を付けることを防止できる。
３、本発明にかかるデジタル写真用アルバムの台紙の折り目の切り欠き部及び連接部により、台紙に写真を貼付する場合に台紙の折り目部分に奥まで写真を貼付せずに折り目部分に若干の隙間を有して貼付することを可能とし、台紙を開いた場合に連接部が若干曲折して台紙を開くことができ、この連接部の弾力によって貼付した写真を弾力を以て表出させることができるという第三の効果を有する。
従って、貼付した写真の不要な皺などを延ばして見栄えよくできる。
【００２４】
４、更に台紙を複数連設した場合に、開いた台紙の切り欠き部にこの台紙に連設する他の台紙の連接部が位置し、貼付した写真の切り欠き部の位置にこの他の台紙の連接部が位置し、貼付した写真を下から支えると共に台紙の開き加減により切り欠き部から写真方向に突出し、写真の皺等を除去できると共に張った状態を維持できるという第四の効果を有する。
５、次に、デジタル写真に多用される例えばＡ４サイズやＡ５サイズの印刷紙にも適合するアルバムの提供ができるという第五の効果を有する。
６、又、本発明にかかるデジタル写真用アルバムは写真を貼付すべき台紙を二又は三以上連設でき、収納するデジタル写真の枚数に応じて収納可能なデジタル写真用アルバムの提供ができるという第六の効果を有する。
７、またこのデジタル写真用アルバムには表紙部・裏表紙部・背表紙部を装着でき、見栄え及び保管時の形状維持などが図れると共に台紙を増設する場合にも簡単に再装着できるという第七の効果を有する。
【図面の簡単な説明】
【図１】本発明に係るデジタル写真用アルバムの台紙の一例を示す図
【図２】図１に示す台紙を複数連設した状態を示す図
【図３】図１に示す台紙を複数連設した状態を示す図
【図４】本発明に係るデジタル写真用アルバムの台紙を複数連設し、一の台紙に写真を貼付して台紙を開いた状態を示す図
【図５】本発明に係るデジタル写真用アルバムの台紙の他の一例を示す図
【図６】図５に示す台紙の周縁押え部を折り曲げた状態を示す図
【図７】図５に示す台紙全体に写真を貼付し周縁押え部を折り曲げた状態を示す図
【図８】表紙部・裏表紙部・背表紙部を装着した本発明に係るデジタル写真用アルバムの一例を示す図
【図９】表紙部の一例を示す図
【符号の説明】
１　　台紙
１１　　折り目
１２　　台紙部
１３　　台紙部
１４　　切り欠き部
１５　　連接部
１６　　突出部
１７　　切り込み
１８　　周縁押え部
１８１　　スリット
２　　表紙部
２１　　収納部
３　　裏表紙部
３１　　収納部
４　　背表紙部
【図１】
2004098433.tif 000003
【図２】
2004098433.tif 000004
【図３】
2004098433.tif 000005
【図４】
2004098433.tif 000006
【図５】
2004098433.tif 000007
【図６】
2004098433.tif 000008
【図７】
2004098433.tif 000009
【図８】
2004098433.tif 000010
【図９】
2004098433.tif 000011